(57)【要約】  【課題】  一重の網状体の裏側に植生基材袋を容易に挿入できるネットおよびそのネットを用いた植生マットを提供すること。  【解決手段】  法面２上に敷設される一重の網状体で構成されるネット１であって、緯糸３が横方向に連続しない部分を設けることにより縦方向の開口４を形成し、この開口４からネット裏側に植生基材袋１１を挿入するように構成するとともに、縦方向における前記植生基材袋１１の下方側には、堰止め手段８を設けてある。  【選択図】  図２                      
2005240485.tif 000002
【特許請求の範囲】
【請求項１】
法面上に敷設される一重の網状体で構成されるネットであって、緯糸が横方向に連続しない部分を設けることにより縦方向の開口を形成し、この開口からネット裏側に植生基材袋を挿入するように構成するとともに、縦方向における前記植生基材袋の下方側には、堰止め手段を設けてあることを特徴とするネット。
【請求項２】
法面上に敷設される一重の網状体で構成されるネットであって、経糸のみで形成した部分を設け、この部分の経糸により植生基材袋を挟み込ませるように構成するとともに、縦方向における前記植生基材袋の下方側には、堰止め手段を設けてあることを特徴とするネット。
【請求項３】
前記堰止め手段は、密に緯糸を編み込むことにより形成されている請求項１または請求項２に記載のネット。
【請求項４】
前記堰止め手段は帯状体よりなる請求項１または請求項２に記載のネット。
【請求項５】
請求項１ないし請求項４のいずれかに記載されたネットに植生シートを重合してなることを特徴とする植生マット。
【発明の詳細な説明】
【技術分野】
【０００１】
この発明は、ネットおよびそのネットを用いた植生マットに関するものである。
【背景技術】
【０００２】
二重織りのネットに植生基材袋を装着する場合、例えば製造工場において予め前記ネットの袋部に植生基材袋を装着しているが、植生基材袋の内容物は、含水比〔水÷（内容物＋水）×１００〕が１０ｗｔ％以下の乾燥した工場生産品に限定されていた。
【０００３】
そこで本出願人は、図１４、図１５に示すように、二重織りネットよりも安価に製造でき、ネット重量も軽量化できるとともに、含水比１０ｗｔ％以上の水分を含んだものでも現地で装着できる一重の網状体で構成されるネットを提案している（下記特許文献１参照）。図１４には、一重の網状体８０に、経糸８１の本数を当該網状体８０の表裏側に２分割し、分割した一方の経糸部分８１ａ同士および他方の経糸部分８１ｂ同士をそれぞれ緯糸８２および８２で連結することにより植生基材袋が挿入可能な開口７８ａを設けてなるネット７８が示されている。また、図１５には、一重の網状体８０に、隣接する経糸８１，８１を交互に当該網状体８０の表裏側に位置させ、表側の経糸８１ａ，８１ａ同士を緯糸８２で連結するとともに、裏側の経糸８１ｂ，８１ｂ同士を緯糸８２で連結することにより植生基材袋が挿入可能な開口７９ａを設けてなるネット７９が示されている。
【特許文献１】特開２００２−３０９５８１号公報
【発明の開示】
【発明が解決しようとする課題】
【０００４】
しかし、緯糸８２は横方向に連続しており、ネット７８，７９の左右両側端に形成された開口７８ａ，７９ａからネットに植生基材袋を挿入するので、千鳥状等の所望の形態に植生基材袋を配置する作業が煩雑になるとともにこの配置作業に手間がかかるおそれがある。
【０００５】
この発明は、上述の事柄に留意してなされたもので、その目的は、一重の網状体の裏側に植生基材袋を容易に挿入できるネットおよびそのネットを用いた植生マットを提供することである。
【課題を解決するための手段】
【０００６】
上記目的を達成するため、この発明では、法面上に敷設される一重の網状体で構成されるネットであって、緯糸が横方向に連続しない部分を設けることにより縦方向の開口を形成し、この開口からネット裏側に植生基材袋を挿入するように構成するとともに、縦方向における前記植生基材袋の下方側には、堰止め手段を設けてある（請求項１）。
【０００７】
また、この発明では別の観点から、法面上に敷設される一重の網状体で構成されるネットであって、経糸のみで形成した部分を設け、この部分の経糸により植生基材袋を挟み込ませるように構成するとともに、縦方向における前記植生基材袋の下方側には、堰止め手段を設けてある（請求項２）。
【０００８】
この発明において、前記堰止め手段は、密に緯糸を編み込むことにより形成されるのが好ましい（請求項３）。
【０００９】
また、この発明において、堰止め手段を帯状体より構成してもよい（請求項４）。
【００１０】
また、この発明では更に別の観点から、請求項１ないし請求項４のいずれかに記載されたネットに植生シートを重合して植生マットを構成してある（請求項５）。
【発明の効果】
【００１１】
この発明では、緯糸が横方向に連続しない部分を設けることにより縦方向の開口を形成し、この開口からネット裏側に植生基材袋を挿入するように構成しているので、植生基材袋の配置作業を容易にできる。また、前記ネットに予め開口が形成されているので、法面上に敷設後にただちにネット裏側に植生基材袋を挿入でき、施工が煩雑とならない。
【００１２】
また、この発明では、経糸のみで形成した部分を設け、この部分の経糸により植生基材袋を挟み込ませるように構成するので、植生基材袋の配置作業を容易にできるとともに、法面上に敷設後にただちに植生基材袋を挟むことができる。
【００１３】
そして、この発明では、縦方向における植生基材袋の下方側に堰止め手段を設けたので、降雨などによる植生基材袋の移動を効果的に防止できる。また、例えばネットの法面への敷設時に法面上に播種していた植物種子や散布していた肥料も含めて、これらが表層土などとともに降雨あるいは散水により流亡するのを前記堰止め手段によって阻止できる。
【００１４】
また、この発明のネットに植生シートを重合してなる植生マットでも、ネットに設けた開口からネット裏側に植生基材袋を挿入するように構成しているので、植生基材袋の植生シート上への配置作業を容易にできる。更に、前記植生シートの表面の全体に例えば植生種子、肥料、保水材、土壌改良材、木毛等の植生基材を接着してある場合、前記植生基材が表層土などとともに降雨あるいは散水により流亡するのを前記堰止め手段によって阻止できる。  
【発明を実施するための最良の形態】
【００１５】
以下、この発明の実施形態を、図を参照しながら説明する。なお、それによってこの発明は限定されるものではない。
【００１６】
図１〜図６は、この発明の第１の実施形態を示す。
図１〜図６において、１は、法面２上に敷設される一重の網状体で構成されるネットである。このネット１は、平面視矩形で、ネット１の短手方向である横方向（両矢印Ｘで示す方向）が法面２の等高線に沿うように法面２上に敷設される。両矢印Ｙで示す方向はネット１の長手方向である縦方向である。ネット１は、シングルラッセル編みを利用して、緯糸（横糸）３がＸ方向に連続しない部分を、Ｙ方向に複数目合いにわたって設けることにより形成される縦方向（Ｙ方向）の開口４を複数個有する。緯糸（横糸）３がＸ方向に連続しない部分の前記目合いは、図１、図２（Ｂ）に示す開口４では、例えば１１個、図３に示す開口４では例えば１３個、図４に示す開口４では例えば７個である。そして、図１、図３および図４に示す各開口４は、この実施形態では、それぞれ平面視で縦長の矩形形状に形成されており、更に、各開口４のＸ方向の幅は、１目合い分に相当する幅に設定されているが、Ｘ方向の幅も含めた縦方向の開口４の形状はこれらに限るものではなく、適宜設定されうる。５は、ネット１を構成する経糸（縦糸）である。
【００１７】
図１、図３および図４において、一枚のネット１は、Ｘ方向に適宜間隔をおいて設けた一対の縦方向の開口４，４が、Ｙ方向に適宜間隔をおいて設けた複数の密部（堰止め手段の一例）８，８間にそれぞれ位置するよう構成されている。すなわち、前記開口４からネット裏側に植生基材袋（後述する）１１が挿入されるが、植生基材袋１１挿入後においては前記各密部８は、縦方向における前記植生基材袋１１の下方側に位置することになる。また、前記密部８は、隣接する緯糸（横糸）３，３間の相互の間隔が、前記密部８以外の緯糸（横糸）３，３間の相互間隔よりも短く設定されており、この短い間隔で相互に隣接する複数本の緯糸（横糸）３と、経糸（縦糸）５とを編織して前記密部８が構成されている。なお、密部８，８間に三つ以上の縦方向の開口４をＸ方向に適宜間隔をおいて設けてもよい。
更に、図３に示す縦方向の各開口４の縦の長さは、Ｙ方向に隣接する上側の密部８の下端と下側の密部８の上端間の間隔Ｌに等しい長さに設定されている。また、図４に示す縦方向の各開口４の縦の長さは、隣接する密部８，８の前記間隔Ｌのほぼ半分の長さに設定されている。また、図１に示す縦方向の各開口４の縦の長さは、上側の密部８の下端および下側の密部８の上端からそれぞれ等間隔ａを有する状態で、（Ｌ−２ａ）の長さに設定されている。なお、図４に示す縦方向の各開口４は、上側の密部８の下端から連設されているが、下側の密部８の上端から連設してもよい。
【００１８】
１１は、例えば現地発生材１０を収容した植生基材袋（以下単に基材袋という）である。基材袋１１は、例えば腐食性素材よりなり、法面２上にネット１を敷設し、釘またはアンカー１２を密部８に打ち込んでネット１を法面２上に固定した後、縦方向の各開口４からネット裏側に挿入され、図５に示すように基材袋１１が、平面視で例えば千鳥状に配置される。図５には法面２上に短手方向がＸ方向に沿うように敷設された三枚のネット１，１，１が示されている。この場合、基材袋１１は下側の密部８の上端Ｍに沿ってＸ方向に配置される。なお、図６に示すように、下側の密部８の上端Ｍに基材袋１１を数段にわたり支持させるような配置形態もこの発明では採用される。すなわち、下側の密部８の上端Ｍに沿って一段目の複数の基材袋１１を配置するとともに、これら基材袋１１，１１同士を跨ぐように上側に二段目の複数の基材袋１１を配置するようにしてもよい。
【００１９】
基材袋１１の内容物である前記現地発生材１０としては、例えば、現地表土、農作物の残物、魚介類の残物、伐採木炭、伐採木・間伐材の小木、ワラやヨシに代表される草本類、牡蠣の殻、あるいは、前記伐採木、間伐材の小木、草本類および牡蠣の殻を燃やして得られる灰等を挙げることができる。この実施形態では、現地発生材１０として、伐採木、間伐材の小木をチップ状や木毛状のオガ屑に加工したものと、前記草本類、牡蠣の殻および灰を混ぜたものを使用している。
【００２０】
而して、上述のように構成されたネット１は、山腹等の法面２の土壌表面に例えば植物種子（図示せず）を播種し、必要であれば肥料や土壌改良材を散布した後、これらを覆うように敷設され、複数本の釘またはアンカー１２を密部８に適宜間隔を有する状態で打ち込んでネット１を法面２上に固定した後、縦方向の各開口４からネット裏側に基材袋１１を挿入して図５あるいは図６に示すように基材袋１１が配置される。
この発明では、ネット１の左右両側端ではなく、縦方向の開口４をネット１の表面に形成し、この開口４からネット裏側に基材袋１１を挿入するように構成しているので、基材袋１１の配置作業を容易にできる。また、前記ネット１に予め縦方向の開口４が形成されているので、法面２上にネット１を敷設後にただちにネット裏側に基材袋１１を挿入でき、施工が煩雑とならない。
【００２１】
そして、基材袋１１は、下側の密部８の上端Ｍに沿って配置ならびに支持されているので、降雨などによる基材袋１１の移動を、下側の密部８で効果的に防止できる。また、ネット１の法面２への敷設時に法面２上に播種していた植物種子や散布していた肥料も含めて、これらが表層土などとともに降雨あるいは散水により流亡するのを密部８によって阻止できる。
【００２２】
なお、図７に示すように、堰止め手段としてベルト（帯状体）２０を用いてもよい。図７において、ネット１’は、一重の網状体で平面視矩形に構成されており、シングルラッセル編みを利用して、緯糸（横糸）３がＸ方向に連続しない部分を、Ｙ方向に複数目合いにわたって設けることにより形成される縦方向（Ｙ方向）の開口４を複数個有する。縦方向の開口４は、Ｘ方向に適宜間隔を有して一対設けられるとともに、この一対の縦方向の開口４がＹ方向に複数組配列されている。緯糸（横糸）３がＸ方向に連続しない部分の前記目合いは、図１、図２（Ｂ）に示す開口４と同様に、例えば１１個である。このネット１’は、山腹等の法面２の土壌表面に例えば植物種子（図示せず）を播種し、必要であれば肥料や土壌改良材を散布した後、これらを覆うように敷設され、一対の縦方向の開口４の各組間を仕切るようにＸ方向にベルト（帯状体）２０をネット１’上に設け、複数本の釘またはアンカー１２をベルト（帯状体）２０に適宜間隔を有する状態で打ち込んでネット１’を法面２上に固定した後、縦方向の各開口４からネット裏側に基材袋１１を挿入し、図５に示すように下側のベルト（帯状体）２０の上端Ｍ’に支持された基材袋１１が、平面視で例えば千鳥状に配置されたり、図６に示すように、下側のベルト（帯状体）２０の上端Ｍ’に基材袋１１を数段にわたり支持させるように配置される。
【００２３】
図８は、前記ネット１に植生シート２１を重合してなるこの発明の第２の実施形態を示す。
図８において、２２は、前記ネット１に植生シート２１を重合してなる植生マット２２である。この実施形態でも、ネット１に設けた縦方向の開口４からネット裏側に基材袋１１を挿入するように構成しているので、基材袋１１の植生シート２１上への配置作業を容易にできる。更に、前記植生シート２１の表面２１ａの全体に例えば植生種子、肥料、保水材、土壌改良材、木毛等の植生基材２３を接着してある場合、前記植生基材２３が表層土などとともに降雨あるいは散水により流亡するのを密部８によって阻止できる。  
【００２４】
図９、図１０は、例えば図３における縦方向の開口４を形成する左右一対の経糸（縦糸）５ａ，５ａの部分が緯糸（横糸）３をＸ方向に連続していないことにより使用時にほぐれて擦り切れてしまわないように、細いモノフィラメント２５をそれぞれの経糸（縦糸）５ａにおいてネット裏方向に多数本ループして経糸（縦糸）５ａ，５ａを補強するように構成したこの発明の第３の実施形態を示す。
【００２５】
図１１〜図１３は、経糸（縦糸）５のみで形成した部分を設け、この部分の経糸５により基材袋１１を挟み込ませるように構成するとともに、基材袋１１の下方に密部８を設け、基材袋１１の配置作業を容易にできるとともに、法面２上に敷設後にただちに基材袋１１を複数本の経糸５で挟むように構成したこの発明の第４の実施形態を示す。
この場合、ネット１’’は、法面２上に敷設される一重の網状体で構成されており、経糸（縦糸）５のみで形成した部分３０をベースにしてなる。前記部分３０は、Ｙ方向に沿って適宜間隔をあけて形成される密部８を有する。この密部８は、隣接する緯糸（横糸）３，３間の相互の間隔が短く設定されてなる。
【００２６】
図１２および図１３には法面２上に短手方向がＸ方向に沿うように敷設されたネット１’’がそれぞれ示されている。図１２および図１３において、基材袋１１は経糸５により挟み込まれた状態でそれぞれ下側の密部８の上端Ｍに沿ってＸ方向に配置される。
なお、基材袋１１を挟み込む方法としては、基材袋１１が脱落しない配置状態となればどの様な方法でも良く、例えば図１２に示すように基材袋１１の両端のみを挟み込む方法や、図１３に示すように基材袋１１の中央部のみを挟み込む方法など、現場条件に応じて適宜選択することが可能である。
【００２７】
また、上記各実施形態では、法面２の土壌表面に例えば植物種子を播種し、必要であれば肥料や土壌改良材を散布した後、これらを覆うようにネット１，１’，１’’を敷設し、アンカー１２によってネット１，１’，１’’を法面２上に固定した後、ネット裏側に基材袋１１を挿入する施工方法に適用した場合を示したが、この発明は、法面２の土壌表面にネット１，１’，１’’を敷設後にネット１，１’，１’’を法面２上に固定し、ネット裏側に基材袋１１を挿入した後その上から植物種子や肥料や土壌改良材等の植生基盤材を吹き付ける施工方法にも適用できるものである。
【図面の簡単な説明】
【００２８】
【図１】この発明の第１の実施形態を示す斜視図である。
【図２】（Ａ）は、上記実施形態における法面敷設動作を示す構成説明図である。（Ｂ）は、上記実施形態における植生基材袋挿入動作を示す構成説明図である。（Ｃ）は、上記実施形態における法面敷設後の状態を示す構成説明図である。
【図３】上記実施形態の別の例を示す平面図である。
【図４】上記実施形態の更に別の例を示す平面図である。
【図５】上記実施形態の開口からネット裏側に挿入された植生基材袋の配置状態を示す構成説明図である。
【図６】上記実施形態における植生基材袋の他の配置状態を示す構成説明図である。
【図７】上記実施形態において別の堰止め手段を用いた例を示す構成説明図である。
【図８】この発明の第２の実施形態を示す斜視図である。
【図９】この発明の第３の実施形態を示す平面図である。
【図１０】上記第３の実施形態を示す要部斜視図である。
【図１１】この発明の第４の実施形態を示す平面図である。
【図１２】上記第４の実施形態における植生基材袋の配置状態を示す平面図である。
【図１３】上記第４の実施形態における植生基材袋の他の配置状態を示す平面図である。
【図１４】従来例を示す要部斜視図である。
【図１５】従来例の他の例を示す要部斜視図である。
【符号の説明】
【００２９】
１    一重の網状体で構成されるネット
２    法面
３    緯糸
４    縦方向の開口
８    密部（堰止め手段）
１１  植生基材袋
【図１】
2005240485.tif 000003
【図２】
2005240485.tif 000004
【図３】
2005240485.tif 000005
【図４】
2005240485.tif 000006
【図５】
2005240485.tif 000007
【図６】
2005240485.tif 000008
【図７】
2005240485.tif 000009
【図８】
2005240485.tif 000010
【図９】
2005240485.tif 000011
【図１０】
2005240485.tif 000012
【図１１】
2005240485.tif 000013
【図１２】
2005240485.tif 000014
【図１３】
2005240485.tif 000015
【図１４】
2005240485.tif 000016
【図１５】
2005240485.tif 000017